(57)【特許請求の範囲】
【請求項１】
建物の開口部に設けられて前記開口部を塞ぎ室外の光を室内に入れる複層の採光面材であって、
室外側に設けられる非拡散性の透明板の室内側の面に透明な屈折素材層が重ねて設けられた室外側板と、この室外側板に対して空気層を隔てて室内側に設けられて透過光を拡散させる室内側板とを有し、前記室外側板の前記屈折素材層は、線状に延びるプリズム部を平行に並べた形状であり、前記各プリズム部は先端の角部が基端の両側のそれぞれの角部よりも狭い鋭角であり、前記各プリズム部の前記先端が室内側を向いていて、前記室内側板は、内外のいずれかの面が透過光の拡散用の凹凸部とされた型板ガラスであり、前記採光面材が介在することで、室内にある物の像が、室外からは何があるのか認識できない程度に乱された像となって見える採光面材。
【請求項２】
請求項１に記載の採光面材であって、前記室内側板は、前記空気層側の面に熱線遮蔽膜が施され、室内側の面が透過光の拡散用の凹凸面とされた採光面材。
【請求項３】
請求項１または請求項２に記載の採光面材であって、前記室外側板は、前記透明板と屈折素材層とをＵＶカット素材を含む接着材料で接着され、または前記透明板にＵＶカット素材を含む材質が用いられた採光面材。
【請求項４】
建物の開口部に、請求項１ないし請求項３のいずれか１項に記載の採光面材を備えた建物の開口部構造。
【発明の詳細な説明】
【技術分野】
【０００１】
この発明は、建物の採光窓等の開口部に設けられて室内の明るさ感を向上させると共に目隠し効果が得られる採光面材、およびこの採光面材を用いた建物の開口部構造に関する。
【背景技術】
【０００２】
窓の採光用の面材には、一般的には、すりガラス等の拡散板、または透明ガラス等の透光板が用いられている。
太陽光を室内の奥まで導くように工夫した採光面材としては、窓板などの透光板の片面にプリズムシートを被覆したものや（例えば特許文献１）、複数の単体プリズムを透光板の片面に一体に形成したもの（例えば特許文献２）、あるいはプリズム機能を有する外光取込板を透光板の片面に取付けたもの（例えば特許文献３）が提案されている。
【先行技術文献】
【特許文献】
【０００３】
【特許文献１】特開平１１−２８０３５０号公報
【特許文献２】特許第４８８７０９２号公報
【特許文献３】特開２００９−２２８２２２号公報
【発明の概要】
【発明が解決しようとする課題】
【０００４】
狭小地に建てられた建物では、壁面の窓から屋外の光を屋内に取入れようとしても、太陽が高い位置に来ないと太陽光を屋内に取入れられない。また、高い位置から取入れたとしても、室内の明るさ感に重要な壁や天井部に屋外の光が届かず暗いため、室内が暗く感じられる。すりガラスでは、自然光が拡散して室内に入射するものの、大部分は下向きになっている。
【０００５】
上記のプリズムシート、プリズム加工部、あるいはプリズム機能を有する外光取込板を透光板に設けたものでは、太陽光を室内の奥まで導くことが可能ではあるが、室内の様子が屋外から認知されるのを防ぐ目隠し効果は低い。
【０００６】
目隠し効果と採光とを両立させた採光面材としては、ガラス板に型押し、タペストリー加工、反射膜加工などを施したものが従来より一般的に知られている。ガラス板に型押しやタペストリー加工を施したものでは、８〜９割程度の高い光透過率を維持しつつ、ガラス板への加工による模様で室内の様子（部屋の構造や人物など）をぼやけさせられるが、色味や概形までは隠すことができず、目隠し効果がやや弱い。また、ガラス板に反射膜加工を施したものでは、室内の様子が非常に見えずらくなって目隠し効果は上がるが、同時に採光量も減るという弱点がある。また、室内の方が明るい場合には室外から室内が見えやすくなるため、室内外の明るさのバランスにより目隠し効果が薄れるという課題もある。
【０００７】
この発明の目的は、建物の採光窓等の開口部に設けられて室内の明るさ感を向上させると共に目隠し効果も得られる採光面材、およびこの採光面材を用いた建物の開口部構造を提供することである。
【課題を解決するための手段】
【０００８】
この発明の採光面材は、建物の開口部に設けられて前記開口部を塞ぎ室外の光を室内に入れる複層の採光面材であって、室外側に設けられる非拡散性の透明板の室内側の面に透明な屈折素材層が重ねて設けられた室外側板と、この室外側板に対して空気層を隔てて室内側に設けられて透過光を拡散させる室内側板とを有し、前記室外側板の前記屈折素材層は、線状に延びるプリズム部を平行に並べた形状であり、前記各プリズム部は先端の角部が基端の両側のそれぞれの角部よりも狭い鋭角であり、前記各プリズム部の前記先端が室内側を向いていて、前記室内側板は、内外のいずれかの面が透過光の拡散用の凹凸部とされた型板ガラスであり、前記採光面材が介在することで、室内にある物の像が、室外からは何があるのか認識できない程度に乱された像となって見えるものとされている。
前記建物の開口部は、外壁の他、間仕切り壁、バルコニー腰壁等の種々の壁、屋根面等に設けられる窓開口、出入り口等である。
【０００９】
この構成によると、室外側からの光を、建物の外壁の窓等の開口部から室内に取込むときに、室外側板では、様々な角度の入射光が屈折素材層の屈折作用によりそれらの入射角度順序を乱してばらばらな角度方向に出射する。これにより、室外にある物の像は、室内からは完全に乱された像となって見え、室内にある物の像も、室外からは完全に乱された像となって見え、何があるのか認識できない目隠し効果が発揮される。また、室外側板を経た入射光は、室内側板でも拡散されるので、さらに像が乱れ目隠し効果が増大する。
一方、室外側板での屈折作用と、室内側板の光拡散作用とにより、室外から入射される自然光を室内に十分取り入れることができる。これにより、この採光面材では、室内の明るさ感を向上させる採光効果が得られると共に、目隠し効果も得ることができる。
【００１１】
この発明において、前記室内側板は、前記空気層側の面に熱線遮蔽膜を施し、室内側の面を透過光の拡散用の凹凸面としたものであっても良い。
この構成の場合、室外から入射される自然光に含まれる熱線を前記熱線遮蔽膜でカットできるので、日差しの強い夏場などにおいても、熱線を効果的に遮断して室内の温度上昇を低減することができる。
【００１２】
この発明において、前記室外側板は、前記透明板と屈折素材層とをＵＶカット素材を含む接着材料で接着し、または前記透明板にＵＶカット素材を含む材質を用いても良い。
この構成の場合、入射してくる自然光に含まれる紫外線を接着材料中のＵＶカット素材、または透明板に含まれるＵＶカット素材でカットできるので、屈折素材層が樹脂系の素材からなる場合であっても、屈折素材層に紫外線劣化が生じるのを防ぐことができる。
【００１３】
この発明の開口部構造は、建物の開口部に、この発明の上記のいずれかの構成の採光面材を設けたものである。この開口部構造によると、この発明の採光面材につき前述したように、室内の明るさ感を向上させる採光効果が得られると共に、目隠し効果も得ることができる。
【発明の効果】
【００１４】
この発明の採光面材は、建物の開口部に設けられて前記開口部を塞ぎ室外の光を室内に入れる複層の採光面材であって、室外側に設けられる非拡散性の透明板の室内側の面に透明な屈折素材層が重ねて設けられた室外側板と、この室外側板に対して空気層を隔てて室内側に設けられて透過光を拡散させる室内側板とを有し、前記室外側板の前記屈折素材層は、線状に延びるプリズム部を平行に並べた形状であり、前記各プリズム部は先端の角部が基端の両側のそれぞれの角部よりも狭い鋭角であり、前記各プリズム部の前記先端が室内側を向いていて、前記室内側板は、内外のいずれかの面が透過光の拡散用の凹凸部とされた型板ガラスであり、前記採光面材が介在することで、室内にある物の像が、室外からは何があるのか認識できない程度に乱された像となって見えるものとされているため、室内の明るさ感を向上させる採光効果が得られると共に、目隠し効果も得ることができる。  この発明の建物の開口部構造は、この発明の採光面材を建物の開口部に設けたため、室内の明るさ感を向上させる採光効果が得られると共に、目隠し効果も得ることができる。
【図面の簡単な説明】
【００１５】
【図１】この発明の一実施形態にかかる採光面材を用いた建物の開口部の一部を破断して示す断面図である。
【図２】同採光面材の部分拡大断面図である。
【図３】同採光面材における室外側板による光屈折効果を示す説明図である。
【図４】非拡散性の透明板による光屈折・透過効果を示す説明図である。
【図５】同採光面材の目隠し効果を検証するための装置の一例の説明図である。
【図６】（Ａ）は型板ガラスの目隠し効果の検証結果を、（Ｂ）はこの実施形態の採光面材の目隠し効果の検証結果をそれぞれ示す画像である。
【図７】（Ａ）は型板ガラスを採光面材とした場合の採光効果を、（Ｂ）はこの実施形態の採光面材の採光効果をそれぞれ示す画像である。
【図８】この発明の他の実施形態に実施形態にかかる採光面材の部分拡大断面図である。
【図９】この発明のさらに他の実施形態にかかる採光面材の部分拡大断面図である。
【発明を実施するための形態】
【００１６】
この発明の一実施形態を図１ないし図７と共に説明する。図１はこの採光面材を用いた建物の開口部を示す断面図である。この採光面材１は、建物の開口部１１に設けられて前記開口部１１を塞ぎ室外の光を室内に取り入れる面材である。この例では、前記採光面材１を窓戸枠１０内に取付けて窓戸９が構成される。この窓戸９が前記開口部１１の開口枠１１ａ内に設けられる。同図の開口部１１は、建物の外壁面に設けられる窓開口である。窓戸９は、開き戸であっても、スライド戸やその他の開閉形式の戸であっても良い。開口部１１を設けた建物は、戸建住宅、集合住宅、事務所ビル等のいずれであっても良く、またどのような構法の建物であっても良い。
【００１７】
前記採光面材１は、室外側に設けられる室外側板２と、この室外側板２に対して空気層８を隔て室内側に設けられて透過光を拡散させる室内側板３とを備える複層の面材とされている。空気層８の厚みはｔ＝１２ｍｍ程度とされる。室外側板２は、非拡散性の透明板４の室内側の面に透明な屈折素材層５を重ねて設けたものである。透明板４としては、例えば厚みがｔ＝３ｍｍ程度の単板のフロートガラス等の透明ガラスが用いられるが、透明ガラス以外の透明アクリル樹脂等の透明な合成樹脂等の板材を用いても良い。屈折素材層５は、線状に延びるプリズム部５ａを平行に並べた形状のものであり、各プリズム部５ａは先端の角部が基端の両側の角部よりも狭い鋭角に形成されている。屈折素材層５の素材としては、ガラス、ポリエチレン、アクリル樹脂などのうち、屈折率１．４程度のものが望ましく、前記透明板４に接着して取付けられる。
【００１８】
ここでは、前記室内側板３は、室外側を向く面が透過光拡散用の凹凸面３ａとされた厚みがｔ＝４ｍｍ程度の型板ガラスからなる。なお、凹凸面３ａは、室内側を向く面に形成されたものであっても良い。室内側板３には、前記型板ガラスのほか、この発明とは異なる提案例として示すと、タペストリー加工したガラス板や、これに類似した拡散フィルム貼りのガラス板で、前記室外側板２の透明板４と比較して光透過率が０．９程度のものを用いても良い。
【００１９】
上記構成の採光面材１を用いた窓戸９を備える開口部構造によると、室外側からの光を前記開口部１１から室内に取込むとき、室外側板２では、図３のように様々な角度の入射光Ａ〜Ｅが屈折素材層５の屈折作用によりそれらの入射角度順序を乱してばらばらな角度方向に出射する。これにより、室外にある物の像は、室内からは完全に乱された像となって見え、室内にある物の像も、室外からは完全に乱された像となって見え、何があるのか認識できない目隠し効果が発揮される。また、室外側板２を経た入射光は、透過光を拡散させる室内側板３でも拡散されるので、さらに像が乱れ目隠し効果が増大する。
【００２０】
一方、室外側板２での屈折作用と、室内側板３での光拡散作用とにより、室外から入射される自然光は室内に十分取入れることができる。これにより、採光効果と目隠し効果とを両立させることができる。
【００２１】
なお、図４のように前記室外側板が一般的な型板ガラス３０のみからなる場合、様々な角度の入射光Ａ〜Ｅは入射角度順序に対応した角度方向に出射するので、上記したような目隠し効果は得られない。
【００２２】
図５は、上記採光面材１の目隠し効果を検証するために用いた装置の一構成例を示している。この装置では、基盤２０上の室内側に見立てた空間に認識物として人形２１を置き、この人形２１から３００ｍｍ隔てて前記採光面材１を設置し、この採光面材１を挟んで前記人形２１と対向する屋外側に見立てた空間にカメラ２２を設置し、このカメラ２２で人形２１を撮影するようにしている。図６（Ｂ）はこのときカメラ２２で撮影した画像を示し、図６（Ａ）は前記採光面材１を一般的な型板ガラスに置き換えて撮影した画像を示している。これらの画像の比較から明らかなように、前記採光面材１を使用した場合、室外から見た人形２１の像は一般的な型板ガラスを通して見える像に比べて像の乱れ感が大きく色彩も不明瞭になっており、高い目隠し効果が得られていることが分かる。
【００２３】
これにより、この採光面材１を例えば、浴室や脱衣室の窓に使うことで、外から様子が分からない窓として利用したり、隣棟とのプライバシーの関係が相互に気になる場合に利用するなど、カーテンなどの遮蔽物に依存しない開口部とすることができる。
【００２４】
図７は、上記採光面材１を用いた開口部１１を、建物における太陽光の当たらない環境部分（北側窓など）に用いた例（図７（Ｂ））の採光効果を、同じ部分の窓の採光面材として型板ガラスを用いた例（図７（Ａ））の採光効果と比較した画像を示している。
これらの画像の比較から明らかなように、太陽光の当たらない環境下でも、実施形態の採光面材１を用いた窓（図７（Ｂ））では、型板ガラスを用いた従来の窓（図７（Ａ）に比べて明るさ感が向上しており、採光効果が高いことが分かる。
【００２５】
図８は、この発明の他の実施形態を示す。この採光面材１Ａでは、図１〜図７に示した実施形態における採光面材１において、透過光を拡散させる室内側板３として、型板ガラスと他のガラスとを重ねた防犯用の合わせガラスが用いられており、この合わせガラスの空気層８側の面にＬｏｗ−Ｅ蒸着膜等の熱線遮蔽膜６を施し、その型板ガラスの室内側の面を透過光の拡散用の凹凸部３ａとしている。その他の構成は、先の実施形態の場合と同様である。
【００２６】
室内側板３をこのように構成した場合、室外から入射される自然光に含まれる熱線を前記熱線遮蔽膜６でカットできるので、日差しの強い夏場などにおいても、熱線を効果的に遮断して室内の温度上昇を低減することができる。
【００２７】
図９は、この発明のさらに他の実施形態を示す。この採光面材１Ｂでは、図１〜図７に示した実施形態における採光面材１において、前記室外側板２を構成する透明板４と屈折素材層５とをＵＶカット素材を含む接着材料７で接着したものである。その他の構成は、先の実施形態の場合と同様である。
【００２８】
室外側板２を構成する透明板４と屈折素材層５とを、このようにＵＶカット素材を含む接着材料７で接着した場合、入射してくる自然光に含まれる紫外線を接着材料７中のＵＶカット素材でカットできるので、屈折素材層５が樹脂系の素材からなる場合であっても、屈折素材層５に紫外線劣化が生じるのを確実に防ぐことができる。
【００２９】
なお、図９の構成において、接着材料７にＵＶカット素材を含ませる代わりに、透明板４の素材として、ＵＶカット素材を含む材質のものを用いても良い。この場合にも、入射してくる自然光に含まれる紫外線を透明板４に含まれるＵＶカット素材でカットできるので、屈折素材層５が樹脂系の素材からなる場合であっても、屈折素材層５に紫外線劣化が生じるのを確実に防ぐことができる。
【符号の説明】
【００３０】
１，１Ａ，１Ｂ…採光面材
２…室外側板
３…室内側板
３ａ…凹凸部
４…透明板
５…屈折素材層
５ａ…プリズム部
６…熱線遮蔽膜
７…接着材料
８…空気層
１１…開口部
【図１】
0005946805.tif 000002
【図２】
0005946805.tif 000003
【図３】
0005946805.tif 000004
【図４】
0005946805.tif 000005
【図５】
0005946805.tif 000006
【図６】
0005946805.tif 000007
【図７】
0005946805.tif 000008
【図８】
0005946805.tif 000009
【図９】
0005946805.tif 000010